(57)【特許請求の範囲】
【請求項１】
絶縁性ガスが封入された密閉容器と、  前記密閉容器に収納され、駆動軸を駆動する駆動部を有するとともに、前記駆動軸が前記密閉容器の前面部と平行で、かつ水平となるように配置された遮断器と、  前記密閉容器に収納され、駆動軸を駆動する駆動部を有するとともに、前記遮断器の一端と電気的に接続された第一の断路器と、  前記密閉容器に収納され、前記遮断器の他端と電気的に接続され、配置された母線と、  前記密閉容器に収納され、駆動軸を駆動する駆動部を有するとともに、前記母線と電気的に接続された少なくとも１組の第二の断路器と、  前記第一の断路器と電気的に接続され、前記密閉容器の壁面を貫通し前記密閉容器外に引き出す第一の外部引出し回路と、  前記第二の断路器と電気的に接続され、前記密閉容器の壁面を貫通し前記密閉容器外に引き出す前記第二の断路器に対応した組数の第二の外部引出し回路と、を備えたことを特徴とするガス絶縁スイッチギヤ。
【請求項２】
絶縁性ガスが封入された密閉容器と、  前記密閉容器に収納され、駆動軸を駆動する駆動部を有するとともに、前記駆動軸が前記密閉容器の前面部と平行で、かつ水平となるように配置された相数分の遮断器と、  前記密閉容器に収納され、駆動軸を駆動する駆動部を有するとともに、前記遮断器の各々の一端と電気的に接続された相数分の第一の断路器と、  前記密閉容器に収納され、前記遮断器の他端と電気的に接続され、配置された相数分の母線と、  前記密閉容器に収納され、駆動軸を駆動する駆動部を有するとともに、前記母線と電気的に接続された少なくとも１組の相数分の第二の断路器と、  前記第一の断路器と電気的に接続され、前記密閉容器の壁面を貫通し前記密閉容器外に引き出す相数分の第一の外部引出し回路と、  前記第二の断路器と電気的に接続され、前記密閉容器の壁面を貫通し前記密閉容器外に引き出す前記第二の断路器の組数に対応した組数の相数分の第二の外部引出し回路と、を備えたことを特徴とするガス絶縁スイッチギヤ。
【請求項３】
前記母線は、前記密閉容器の前面部と平行となるように、かつ水平方向に延在した状態で並置されていることを特徴とする請求項１または請求項２に記載のガス絶縁スイッチギヤ。
【請求項４】
前記第一の断路器は、その駆動軸が水平となるように、かつ前記遮断器の下方もしくは上方に配置されていることを特徴とする請求項１または請求項２に記載のガス絶縁スイッチギヤ。
【請求項５】
前記第二の断路器は、その駆動軸が前記遮断器の駆動軸に対して直交するように、かつ水平となるように配置されていることを特徴とする請求項１または請求項２に記載のガス絶縁スイッチギヤ。
【請求項６】
前記第二の断路器が、複数組である場合に、それぞれの組が水平方向に対して並置されていることを特徴とする請求項５に記載のガス絶縁スイッチギヤ。
【請求項７】
前記第二の外部引出し回路は、前記第二の断路器に対応したそれぞれの組が前記密閉容器の底面部で列をなすように設置されていることを特徴とする請求項６に記載のガス絶縁スイッチギヤ。
【請求項８】
前記第二の外部引出し回路は、前記第二の断路器に対応したそれぞれの組が前記密閉容器の前面部で列をなすように設置されていることを特徴とする請求項６に記載のガス絶縁スイッチギヤ。
【請求項９】
前記第二の断路器は、その駆動軸が前記遮断器の駆動軸に対して平行となるように配置されていることを特徴とする請求項１または請求項２に記載のガス絶縁スイッチギヤ。
【請求項１０】
前記第二の断路器は、複数組である場合に、それぞれの組が上下方向に並置されていることを特徴とする請求項９に記載のガス絶縁スイッチギヤ。
【請求項１１】
前記密閉容器が、独立した二つの密閉容器から構成されており、第一の密閉容器には、前記遮断器、前記第一の断路器及び第一の外部引出し回路が、第二の密閉容器には、前記母線、前記第二の断路器及び第二の外部引出し回路が収納されていることを特徴とする請求項１から請求項１０のいずれか１項に記載のガス絶縁スイッチギヤ。
【請求項１２】
風力発電装置の風車塔内に設置されていることを特徴とする請求項１から請求項１１のいずれか１項に記載のガス絶縁スイッチギヤ。
【発明の詳細な説明】
【技術分野】
【０００１】  本発明は、電力の供給を行なう受変電設備などに用いられるガス絶縁スイッチギヤに関するものである。
【背景技術】
【０００２】  スイッチギヤは、遮断器、断路器、接地開閉器、検電装置などを盤内に集約した保護装置で、電力系統における変電設備に必要な開閉機能を担っており、設置される用地等の制約から、小型化に対する必要性が求められている。【０００３】  そこで、例えば、特許文献１のガス絶縁スイッチギヤでは、絶縁性ガスが封入された密閉容器に水平方向に延在した状態で収納された遮断器および複数の断路器をタンク内において上下方向に並べて配置することにより、据付面積の縮小化を達成している。
【先行技術文献】
【特許文献】
【０００４】
【特許文献１】特開２００７―２８７７６号公報
【発明の概要】
【発明が解決しようとする課題】
【０００５】  しかしながら、特許文献１のガス絶縁スイッチギヤにおいては、絶縁性ガスが封入された密閉容器に水平方向に延在した状態で収納された遮断機器要素および複数の開閉機器要素を所定の上下関係で配設することによって、据付面積の縮小化を達成している。ガス絶縁スイッチギヤの大きさは、内部に収納される機器の中で最も駆動軸方向の寸法が大きい遮断器によって、その外形寸法が制約されている。しかしながら、ガス絶縁スイッチギヤを設置する場所によっては、奥行方向の寸法に制約がある場合が少なくない。例えば、風力発電装置の風車塔の電気室のように、奥行方向の寸法が短く、細長い空間にガス絶縁スイッチギヤを設置する必要がある。このような場合に、ガス絶縁スイッチギヤを構成する機器の中で奥行方向の寸法を決定するのは、駆動部を含めた長手方向がもっとも大きい遮断器であり、この遮断器の配置の仕方が問題となる。従来のガス絶縁スイッチギヤでは、必ずしもこのことが考慮されておらず、一般的には、幅が狭く、奥行方向が長くなっていた。したがって、このような奥行方向の寸法に制約のある場所に設置できないといった問題があった。【０００６】  本発明は、上記の課題を解決するためになされたものであり、奥行方向が短く、設置スペースが狭隘な場所にも設置することができるガス絶縁スイッチギヤを提供することを目的としている。
【課題を解決するための手段】
【０００７】  上記課題を解決するために、本発明の請求項１に係るガス絶縁スイッチギヤは、絶縁性ガスが封入された密閉容器と、前記密閉容器に収納され、駆動軸を駆動する駆動部を有するとともに、前記駆動軸が前記密閉容器の前面部と平行で、かつ水平となるように配置された遮断器と、前記密閉容器に収納され、駆動軸を駆動する駆動部を有するとともに、前記遮断器の各々の一端と電気的に接続された第一の断路器と、前記密閉容器に収納され、前記遮断器の他端と電気的に接続され、配置された母線と、前記密閉容器に収納され、駆動軸を駆動する駆動部を有するとともに、前記母線と電気的に接続された少なくとも１組の第二の断路器と、前記第一の断路器と電気的に接続され、前記密閉容器の壁面を貫通し前記密閉容器外に引き出す第一の外部引出し回路と、前記第二の断路器と電気的に接続され、前記密閉容器の壁面を貫通し前記密閉容器外に引き出す前記第二の断路器の組数に対応した第二の外部引出し回路と、を備えたことを特徴とするものである。【０００８】  本発明の請求項２に係るガス絶縁スイッチギヤは、絶縁性ガスが封入された密閉容器と、前記密閉容器に収納され、駆動軸を駆動する駆動部を有するとともに、前記駆動軸が前記密閉容器の前面部と平行で、かつ水平となるように配置された相数分の遮断器と、前記密閉容器に収納され、駆動軸を駆動する駆動部を有するとともに、前記遮断器の各々の一端と電気的に接続された相数分の第一の断路器と、前記密閉容器に収納され、前記遮断器の他端と電気的に接続され、配置された相数分の母線と、前記密閉容器に収納され、駆動軸を駆動する駆動部を有するとともに、前記母線と電気的に接続された少なくとも１組の相数分の第二の断路器と、前記第一の断路器と電気的に接続され、前記密閉容器の壁面を貫通し前記密閉容器外に引き出す相数分の第一の外部引出し回路と、前記第二の断路器と電気的に接続され、前記密閉容器の壁面を貫通し前記密閉容器外に引き出す前記第二の断路器の組数に対応した組数の相数分の第二の外部引出し回路と、を備えたことを特徴とするものである。【０００９】  また、本発明の請求項１２に係るガス絶縁スイッチギヤは、風力発電装置の風車塔内に設置されていることを特徴とするものである。
【発明の効果】
【００１０】  本発明のガス絶縁スイッチギヤによれば、遮断器の駆動軸をガス絶縁スイッチギヤの前面部に対して、平行で、かつ水平となるように配置することにより、その性能に影響を与えずに、ガス絶縁スイッチギヤの奥行寸法を短くすることができ、設置スペースで奥行寸法に制約がある狭隘な場所にも設置することができるという効果を奏する。
【図面の簡単な説明】
【００１１】
【図１】実施の形態１に係るガス絶縁スイッチギヤの前面から見た外観図である。
【図２】実施の形態１に係るガス絶縁スイッチギヤの左側面から見た外観図である。
【図３】実施の形態１に係るガス絶縁スイッチギヤの右側面から見た外観図である。
【図４】実施の形態１に係るガス絶縁スイッチギヤの上面から見た上面外観図である。
【図５】実施の形態１に係るガス絶縁スイッチギヤの底面から見た底面外観図である。
【図６】実施の形態１に係るガス絶縁スイッチギヤの前面から見た内部構成を示す透視図である。
【図７】図６のＡ−Ａ部から見た要部図である。
【図８】図６のＢ−Ｂ部から見た要部図である。
【図９】実施の形態１に係るガス絶縁スイッチギヤの単線図である。
【図１０】実施の形態２に係るガス絶縁スイッチギヤの前面から見た内部構成を示す透視図である。
【図１１】図１０のＤ−Ｄ部から見た要部図である。
【図１２】三相用遮断器の斜視図である。
【図１３】三相用断路器の斜視図である。
【図１４】単相用遮断器の斜視図である。
【図１５】単相用断路器の斜視図である。
【図１６】実施の形態１または実施の形態２に係るガス絶縁スイッチギヤが設置される風力発電装置の風車塔の電気室を示す略平面図である。
【発明を実施するための形態】
【００１２】実施の形態１．  図１は、実施の形態１に係るガス絶縁スイッチギヤの前面から見た外観図であり、図２は、その左側面から見た外観図であり、図３は、右側面から見た外観図であり、図４は、上面から見た上面外観図であり、図５は、底面から見た底面外観図である。また、図６は、前面から見た全体構成を示す透視図であり、図７は、図６のＡ−Ａ部から見た要部図であり、図８は、図６のＢ−Ｂ部から見た要部図である。また、図９は、ガス絶縁スイッチギヤの単線図である。
【００１３】  図１から図８に示すように、ガス絶縁スイッチギヤ１は、遮断器２０、第一の断路器２４及び接地開閉器３０が収納された密閉容器である第一の密閉容器２と、母線４０及び第二の断路器４２が収納された第二の密閉容器３と、接続部Ｃで互いに接続された第一の密閉容器２と第二の密閉容器３とを載置する架台４（架台ベース４ａ、架台脚４ｂ）と、第一の密閉容器２の底部を貫通し、第一の密閉容器２内の接地開閉器３０と接続される第一の外部引出し回路であるケーブルコネクタ５と、第二の密閉容器３の底部を貫通し、第二の密閉容器３内の第二の断路器４２に接続される第二の外部引出し回路であるケーブルコネクタ６と、ケーブルコネクタ５と接続される電力ケーブル７と、ケーブルコネクタ６と接続される電力ケーブル８と、三相（３本）の電力ケーブル７で構成される第一の回線９と、三相（３本）の電力ケーブル８で構成される第二の回線１０、第三の回線１１及び第四の回線１２と、第二の断路器４２の駆動部５５が収納された操作部１３と、ガス絶縁スイッチギヤ１の全体操作を行う制御回路３５が収納された制御箱１４と、遮断器２０、第一の断路器２４及び接地開閉器３０の駆動部５２，５３，５４が収納された操作部１５と、で構成されている。なお、第一の密閉容器２と第二の密閉容器３内には、絶縁性ガスとして、ＳＦ６（六フッ化硫黄）や乾燥空気（Ｄｒｙ  ａｉｒ）等が封入されている。なお、ここでは、電力が三相構成である場合について説明する。したがって、構成機器は３台１組となっている。
【００１４】  図５の底面外観図から明らかにように、第一の回線９、第二の回線１０、第三の回線１１及び第四の回線１２は、それぞれ３本のケーブルコネクタ５及び６で構成され、第一の密閉容器２及び第二の密閉容器３の底部に、３本のケーブルコネクタ５及び６は、三角形の頂点に配置されている。また、３本のケーブルコネクタ５及び６の中央相が横方向に変位されており、奥行方向の寸法（図５の上下方向の寸法）が小さくなるように配置されている。さらに、第二の回線１０、第三の回線１１及び第四の回線１２は、左右方向に一列となるように配置され、左右に細長い構成となっている。
【００１５】
このガス絶縁スイッチギヤ１の操作において、遮断器２０、第一の断路器２４及び接地開閉器３０は、右側の操作部１５内にあるそれぞれの駆動部５２，５３，５４により右側方から操作され、また、第二の断路器４２は、第二の密閉容器３の前面部３ａの前方の操作部１３内にある駆動部５５により前方から操作される。また、第一の密閉容器２の前面には、制御回路３５が収納された制御箱１４があり、扉１４ａを開くことにより制御回路３５の点検、操作を行うことができるようになっている。
【００１６】  次に、図６から図８を用いて、ガス絶縁スイッチギヤ１の内部機器の配置と動作について具体的に説明する。まず、第一の密閉容器２に収容されている内部機器の配置について説明する。遮断器２０は、その駆動軸２３の軸芯方向がガス絶縁スイッチギヤ１の第一の密閉容器２の前面部２ａと平行で、かつ水平になるように配置されている。また、遮断器２０は、真空バルブ２１により真空バルブ２１の固定接点２１ａに対して、駆動部５２により遮断器２０の駆動軸２３は水平方向に移動され、絶縁ロッド２２を介して可動接点２１ｂを移動させて電力回路の開閉を行う。
【００１７】  また、第一の断路器２４は、遮断器２０の下方に配置されており、第一の断路器２４は、その駆動軸２７の軸芯が、遮断器２０の駆動軸２３の軸芯に並行して、水平となるように配置されている。第一の断路器２４は、固定接触子２５に対して、駆動部５３により先端部に固定接触子２５と摺動接触子２６間の通電部を有する駆動軸２７を摺動接触子２６に接触させながら水平方向に移動させて、電力回路の開閉を行う。ここで、遮断器２０の可動接点２１ｂの導電性駆動軸２１ｃに取り付けられた摺動接触子２８と第一の断路器２４の固定接触子２５とは、接続導体２９により電気的に接続されている。
【００１８】  また、接地開閉器３０は、第一の断路器２４の下方に配置されており、固定接触子３１に対して、導電性駆動軸３２を接触させることにより、遮断器２０のケーブルコネクタ５側を接地させるものである。第一の断路器２４の摺動接触子２６と接地開閉器３０の固定接触子３１とは、接続導体３３により電気的に接続されている。さらに、接地開閉器３０の固定接触子３１とケーブルコネクタ５とは、接続導体３４により電気的に接続されている。遮断器２０、第一の断路器２４及び接地開閉器３０は、第一の密閉容器２の側面部に取り付けられている。ここで、１枚の取付板２ｂに、遮断器２０、第一の断路器２４及び接地開閉器３０を取り付け、この取付板２ｂを第一の密閉容器２に取り付けてもよく、機器の取り付け作業性が向上する。
【００１９】  続いて、第二の密閉容器３に収容されている内部機器について説明する。母線４０は、その一端が遮断器２０の固定接点２１ａに電気的に接続され、他端は遮断器２０の可動接点２１ｂの駆動軸２３の軸芯方向に延伸されている。図８に示すように、この母線４０は、水平方向に所定間隔でもって並行して３本（三相）配置されている。３本の母線４０から第二の回線１０、第三の回線１１及び第四の回線１２に対応したそれぞれ３台の第二の断路器４２へは接続導体４１により電気的に接続されている。また、第二の断路器４２と第二の回線１０、第三の回線１１及び第四の回線１２のケーブルコネクタ６とはそれぞれ接続導体４３により電気的に接続されている。
【００２０】  図８に示すように、第二の断路器４２の駆動軸４６は、母線４０の水平延伸方向と直交するように配置されている。すなわち、第二の断路器４２の先端部に固定接触子４４と摺動接触子４２間の通電部を有する駆動軸４６の移動方向は、遮断器２０の駆動軸２３の移動方向あるいは第一の断路器２４の駆動軸２７の移動方向と直交していることになる。操作部１３にある駆動部５５により駆動軸４６を第二の密閉容器３の前面部３ａに対して垂直（前後）方向に移動させ、駆動軸４６が固定接触子４４に対して接離されることにより電力回路を開閉させる。また、駆動軸４６と接触している摺動接触子４５は、接続導体４１と電気的に接続されている。第二の断路器４２は、第二の密閉容器３の前面部３ａに取り付けられている。ここで、１枚の取付板３ｂに、複数の第一の断路器２４を取り付け、この取付板３ｂを第二の密閉容器３の前面に取り付けてもよく、機器の取り付け作業性が向上する。
【００２１】  図９に、実施の形態１に係るガス絶縁スイッチギヤ１の単線図（回路図）を示す。遮断器２０、第一の断路器２４及び第二の断路器４２の開閉操作により、第一の回線９と第二の回線１０、第三の回線１１及び第四の回線１２との間で必要な電気的接続の切換を行う。
【００２２】  上述したように、ガス絶縁スイッチギヤ１で用いられる構成要素の中でも駆動軸方向の寸法が一番大きい遮断器２０を、その駆動軸２３の方向が第一の密閉容器２の前面部２ａに対して平行となるように配置することにより、ガス絶縁スイッチギヤ１の装置の奥行寸法を短縮することができ、設置される床面の形状として奥行寸法に制約がある場所においてもガス絶縁スイッチギヤ１を設置することが可能である。さらに、三相構成の複数組の断路器が必要である第二の断路器４２の駆動軸４６を、遮断器２０の駆動軸２３に対して直交させ、第二の断路器４２の駆動部５５が第二の密閉容器３の前面部３ａ側に来るように配置することによって、第二の断路器４２の操作、点検が容易にできるという効果がある。
【００２３】  なお、ガス絶縁スイッチギヤには、断路器や遮断器から導出されて、外部機器（受電側の装置類、送電側の機器類、発電機など）に接続するための外部引出し回路があり、これらの外部引出し回路は、一般的には、ガス絶縁スイッチギヤの後方から電力ケーブルにより接続することが可能なように配置されているため、ガス絶縁スイッチギヤの外形寸法が大きくなる要因となっていた。これに対して、本実施の形態に係るガス絶縁スイッチギヤ１では、外部引出し回路であるケーブルコネクタ５，６を密閉容器２，３の底面部に設けることにより、後方から電力ケーブルを接続する場合に比べて、ケーブルコネクタ５，６に必要な長さを短縮させることができ、併せて、ガス絶縁スイッチギヤ１の構成に必要な機器の配置の自由度が増し、設置に必要な床面積を縮小することができる。
【００２４】  また、遮断器２０の駆動軸２３の方向に対して、母線４０を水平方向に延在させることによって、第二の断路器４２を母線４０の下方に、遮断器２０及び第一の断路器２４を前面から観て横方向に配置することで、ガス絶縁スイッチギヤ１の装置の全体の高さを低くすることができ、高さに制約がある場所に対して設置する場合に有効である。
【００２５】  また、上記説明では、三相のガス絶縁スイッチギヤの場合について述べたが、三相以外の例えば、直流あるいは単相等の他の相数のガス絶縁スイッチギヤの場合であってもよい。また、構成機器（遮断器あるいは断路器）は、三相用機器の場合は１台でよいが、単相用機器の場合の構成機器の数は相数に応じて、例えば、三相回路の場合には単相用機器を３台使用するというように、決定される。また、上記説明では、三相構成の第二の断路器４２が３組ある事例について述べたが、第二の断路器４２の組数は必要に応じて増減される。また、接地開閉器３０は、第一の断路器２４側にのみ設けられている場合に説明したが、第二の断路器４２側にも設けてもよく、必要に応じて設ければよく、場合によっては無くてもよい。
【００２６】  なお、上述した遮断器あるいは第一断路器の、三相用機器及び単相用機器の概観を図１２から図１５に示す。図１２は三相用遮断器、図１３は三相用断路器、図１４は単相用遮断器、図１５は単相用断路器、をそれぞれ示す。
【００２７】  図１２、図１４において、遮断器２０は、第一の密閉容器２に取り付ける取付板２ｂと、遮断部を筒状のケースに収納した遮断器消弧室５６と、遮断器消弧室５６内の接点を駆動する駆動部５２と、で構成されている。三相用遮断器は、図１２に示すように取付板２ｂに対して３つの遮断器消弧室５６を互いに平行して配置して、３相分の消弧室を形成し、これを取付板２ｂの反対側に装着した１台の駆動部５２にて、三相の遮断器消弧室５６内の接点を開閉駆動するようにしている。単相用遮断器は、図１４に示すように取付板２ｂに対して１つの遮断器消弧室５６を配置し、これを取付板２ｂの反対側に装着した１台の駆動部５２にて遮断器消弧室５６内の接点を開閉駆動するようにしている。また、端子５７にて、遮断器消弧室５６内部の主回路と外部の主回路とを接続している。
【００２８】  また、図１３、図１５において、第一の断路器２４は、第一の密閉容器２に取り付ける取付板２ｂと、断路器の開閉部を筒状のケースに収納した断路器消弧室５８と、断路器消弧室５８内の接点を駆動する駆動部５３、で構成されている。三相用断路器は、図１３に示すように取付板２ｂに対して３つの断路器消弧室５８を互いに平行して配置して、３相分の消弧室を形成し、これを取付板２ｂの反対側に装着した１台の駆動部５３にて、三相の断路器消弧室５８内の接点を開閉駆動するようにしている。単相用断路器は、図１５に示すように取付板２ｂに対して１つの断路器消弧室５８を配置し、これを取付板２ｂの反対側に装着した１台の駆動部５３にて断路器消弧室５８内の接点を開閉駆動するようにしている。また、端子５９にて、断路器消弧室５８内部の主回路と外部の主回路とを接続している。
【００２９】  また、上記説明では、第二の断路器４２は、その駆動軸４６が遮断器２０の駆動軸２３に対して直交するように配置される場合について述べたが、第二の断路器４２は、その駆動軸４６が遮断器２０の駆動軸２３に対して平行となるように配置されていてもよく、第二の断路器４２が複数組である場合には、奥行方向の寸法が長くならないよう、それぞれの組を上下方向に並置して、第二の密閉容器３の側面部に取り付ければよい。
【００３０】  また、第二の断路器４２は、駆動部５５が密閉容器３の上面部に来るように駆動軸４６が上下方向となるように配置されていてもよい。
【００３１】  このように、実施の形態１に係るガス絶縁スイッチギヤでは、遮断器の長手方向（駆動軸の移動方向）を、ガス絶縁スイッチギヤの前面部に対して平行で、かつ水平となるように配置したことにより、ガス絶縁スイッチギヤの奥行方向の長さを短縮させることができるという効果を有する。
【００３２】実施の形態２．  図１０は、実施の形態２に係るガス絶縁スイッチギヤ１の前面から見た内部構成を示す透視図である。図１１は、図１０のＤ−Ｄ部から見た要部図である。実施の形態１のガス絶縁スイッチギヤ１と実施の形態２のガス絶縁スイッチギヤ１００との相違点は、実施の形態１では、電力ケーブル７，８は、密閉容器２，３の底面から直線状に立ち上がった状態で接続されているのに対して、実施の形態２では、Ｌ字型の形状をした電力ケーブル７１，８１が使用されており、電力ケーブル７１は密閉容器２の側面部２ｄ、電力ケーブル８１は密閉容器３の前面部３ａでそれぞれ接続されている点である。他の構成要素は、実施の形態１と同様であるので説明を省略する。
【００３３】  電力ケーブル７１，８１は、第一の外部引出し回路であるケーブルコネクタ５１、第二の外部引出し回路であるケーブルコネクタ６１と接続され、ケーブルコネクタ５１、６１は、第一の断路器２４、第二の断路器４２とは、それぞれ、接続導体３４ａ、４３ａにより接続されている。
【００３４】  特に、第二の回線１０、第三の回線１１及び第四の回線１２との接続に際し、電力ケーブル８１を適用して、ガス絶縁スイッチギヤ１の第二の密閉容器３の前面部３ａから接続を行うようにしても、電力ケーブル８１の密閉容器３からの奥行（前方）方向の突出部は操作部１３より短く、最小限に抑えられているため、ガス絶縁スイッチギヤ１の外形寸法には影響を与えることはない。また、実施の形態１において、電力ケーブル７，８の接続作業は、密閉容器２，３の底面近傍の狭い場所で行う必要があり、密閉容器２，３を載置する架台４を高くしておく必要があるが、この実施の形態では、電力ケーブル７１，８１の接続作業は、密閉容器２，３の側面部において実施することができるため、作業効率を向上することができ、ガス絶縁スイッチギヤ１の高さ寸法をさらに小さくすることができる効果がある。
【００３５】  このように、実施の形態２に係るガス絶縁スイッチギヤでは、実施の形態１と同様、ガス絶縁スイッチギヤの奥行方向の長さを短縮させることができるという効果を有するとともに、電力ケーブルの形状をＬ字型としたことにより、密閉容器の側面部から電力ケーブルの接続作業を行うことができ、作業効率を向上できるという効果がある。
【００３６】  なお、上記実施の形態では、密閉容器は、第一の密閉容器２と第二の密閉容器３の２つに分割されている場合について説明したが、１つの密閉容器としてもよく、それ以上の密閉容器に分けられていてもよい。
【００３７】  また、本発明に係るガス絶縁スイッチギヤが適用される好適例として、風力発電装置が挙げられる。図１６に、ガス絶縁スイッチギヤ１あるいは１００が設置される風力発電装置の風車塔１０００の電気室１００１の平面図を示す。本発明のガス絶縁スイッチギヤは、このような奥行寸法が短く、狭隘な設置場所においても設置することができるという効果を発揮する。
【００３８】  また、本発明は、その発明の範囲内において、各実施の形態を自由に組み合わせたり、各実施の形態を適宜、変形、省略したりすることが可能である。
【００３９】  また、図において、同一符号は、同一または相当部分を示す。
【符号の説明】
【００４０】１，１００  ガス絶縁スイッチギヤ、２，３  密閉容器、２ａ，３ａ  前面部、７，８，７１，８１  電力ケーブル、５，６，５１，６１  ケーブルコネクタ、２０  遮断器、２３  駆動軸、２４  第一の断路器、２７，４６  駆動軸、３０  接地開閉器、４０  母線、４２  第二の断路器、５２，５３，５４，５５  駆動部、５６  遮断器消弧室、５７  端子、５８  断路器消弧室、５９  端子、１０００  風車塔、１００１  電気室。
【要約】  ガス絶縁スイッチギヤ（１）は、絶縁性ガスが封入された密閉容器（２，３）と、その駆動軸（２３）の軸芯方向が密閉容器（２）の前面部（２ａ）と平行で、かつ水平になるように配置された遮断器（２０）と、遮断器（２０）の下方に配置され、遮断器（２０）と電気的に接続された第一の断路器（２４）と、その一端が遮断器（２０）に接続され、他端が遮断器（２０）の駆動軸（２３）の軸芯方向に延伸された母線（４０）と、母線（４０）と電気的に接続された第二の断路器（４２）と、第一の断路器（２４）から密閉容器（２）外に引き出すケーブルコネクタ（５）と、第二の断路器（４２）から密閉容器（３）外に引き出すケーブルコネクタ（６）と、により構成されている。これにより、奥行方向が短く、設置スペースが狭隘な場所にも設置することができる。【図１】
0005602977.tif 000002
【図２】
0005602977.tif 000003
【図３】
0005602977.tif 000004
【図４】
0005602977.tif 000005
【図５】
0005602977.tif 000006
【図６】
0005602977.tif 000007
【図７】
0005602977.tif 000008
【図８】
0005602977.tif 000009
【図９】
0005602977.tif 000010
【図１０】
0005602977.tif 000011
【図１１】
0005602977.tif 000012
【図１２】
0005602977.tif 000013
【図１３】
0005602977.tif 000014
【図１４】
0005602977.tif 000015
【図１５】
0005602977.tif 000016
【図１６】
0005602977.tif 000017